(57)【特許請求の範囲】
【請求項１】
湯を溜める浴槽本体の上端縁の周囲にフランジ部を有する浴槽であって、
前記浴槽本体の内側面に、上端面の高さが前記フランジ部と同じであるグリップ部を設け、
前記フランジ部は、内周縁に、上面より低いフランジ段部を有し、
前記グリップ部は、上端面の高さが前記フランジ段部と同じであることを特徴とする浴槽。
【請求項２】
前記浴槽本体は、一端側に幅狭部分を、他端側に前記幅狭部分よりも幅が広い幅広部分を有し、
前記グリップ部は、前記幅狭部分と前記幅広部分を接続する前記浴槽本体の内側面に一端部が固定されており、前記幅広部分の幅方向における前記浴槽本体の内側面に他端部が固定されていることを特徴とする請求項１に記載の浴槽。
【請求項３】
前記グリップ部における前記浴槽本体の内側に臨む側面と、前記幅狭部分の幅方向における前記浴槽本体の内側面とが並設されていることを特徴とする請求項２に記載の浴槽。
【請求項４】
前記グリップ部は、中央部の幅よりも前記他端部の幅が広いことを特徴とする請求項２または３に記載の浴槽。
【請求項５】
前記グリップ部は、前記他端部の上端面の高さが前記フランジ部の高さと同じであることを特徴とする請求項２から４のいずれか１項に記載の浴槽。
【発明の詳細な説明】
【技術分野】
【０００１】
本発明は、浴槽に関する。
【背景技術】
【０００２】
浴槽は、湯を溜める浴槽本体と、浴槽本体の上端縁のフランジ部とを備える。浴槽は、フランジ部に風呂蓋を載せ、浴槽本体に溜めた湯を保温する。風呂蓋は、保温性を高めるべく発泡樹脂等の断熱素材からなる芯材を有する蓋本体と、蓋本体の両面の縁部および外周端面を覆って補強する被覆部とを備える。
【０００３】
例えば、特許文献１には、浴槽本体の内側面に沿って支持レールを設け、該支持レールに着座用に使用する風呂蓋の両端縁を載せてスライド可能に支持する浴槽が開示されている。また、特許文献２には、浴槽本体に半身浴用ステップを有し、グリップ部の一端部が半身浴ステップ側の浴槽本体に固定され、該一端部の高さがフランジ部と同じである浴槽が開示されている。グリップ部の他端部は、フランジ部との距離が大きくなるように浴槽本体に固定されている。
【先行技術文献】
【特許文献】
【０００４】
【特許文献１】特開２００６−２６３２３１号公報
【特許文献２】特開２００６−１３０１３６号公報
【発明の概要】
【発明が解決しようとする課題】
【０００５】
特許文献１に記載の浴槽は、浴槽本体の内側面に沿って設けた支持レールによってのみ風呂蓋にかかる着座時の荷重を支持しなければならなかった。また、ユーザが浴槽を跨ぐ際に支持レールに足が引っ掛かり、浴槽本体内へ移動し難いという問題点があった。
【０００６】
また、特許文献２に記載の浴槽は、グリップ部の一端部の高さがフランジ部と同じであるものの、他端部がフランジ部との距離が大きくなるように浴槽本体に固定されているので、風呂蓋を載せる支持部として利用することができなかった。また、グリップ部の長手方向に垂直なフランジ部にグリップ部の一端部が固定されている関係で見ると、該フランジ部に直接的に着座すれば良く、浴槽の上に置いた風呂蓋に着座することは考慮されていない。
【０００７】
本発明は、斯かる事情に鑑みてなされたものであり、その目的とするところは、風呂蓋への着座時にかかる大きな荷重を支持することができ、さらには、ユーザが浴槽本体内へ移動し易い浴槽を提供することにある。
【課題を解決するための手段】
【０００８】
本発明に係る浴槽は、湯を溜める浴槽本体の上端縁の周囲にフランジ部を有する浴槽であって、前記浴槽本体の内側面に、上端面の高さが前記フランジ部と同じであるグリップ部を設けたことを特徴とする。
【０００９】
本発明にあっては、グリップ部の上端面の高さがフランジ部と同じであるので、着座時に風呂蓋にかかる大きな荷重をフランジ部およびグリップ部によって支持することができる。
【発明の効果】
【００１０】
本発明によれば、浴槽は、グリップ部の上端面の高さがフランジ部と同じであるので、着座時に風呂蓋にかかる大きな荷重をフランジ部およびグリップ部によって支持することができる。
【図面の簡単な説明】
【００１１】
【図１】実施形態１に係る浴槽の外観を示す斜視図である。
【図２】実施形態１に係る浴槽の平面図である。
【図３】図２のＡ−Ａ線による浴槽の断面図である。
【図４】変形例に係る浴槽の図３と同様の断面図である。
【図５】実施形態２に係る浴槽の外観を示す斜視図である。
【図６】実施形態２に係る浴槽の平面図である。
【図７】図６のＢ−Ｂ線による浴槽の断面図である。
【図８】変形例に係る浴槽の平面図である。
【発明を実施するための形態】
【００１２】
以下、本発明を好適な実施の形態をもとに図１から図８を参照しながら説明する。各図面に示される同一または同等の構成要素、部材には、同一の符号を付するものとし、適宜重複した説明は省略する。また、各図面における部材の寸法は、理解を容易にするために適宜拡大、縮小して示される。また、各図面において実施の形態を説明する上で重要ではない部材の一部は省略して表示する。
【００１３】
（実施形態１）
図１は本発明の実施形態１に係る浴槽１１０の外観を示す斜視図、図２は本発明の実施形態に係る浴槽１１０の平面図、図３は図２のＡ−Ａ線による浴槽１１０の断面図である。浴槽１１０は、上部に風呂蓋１００が載せられ、図示しない他の風呂蓋とともに浴槽１１０に溜めた湯を保温する。風呂蓋１００は、湯の保温以外にユーザが着座することや、浴槽１１０内にユーザが浸かった状態等でテーブル代わりとしても使用される。
【００１４】
浴槽１１０は、平面視矩形状であり、湯を溜める浴槽本体１１１、およびユーザが手すりとして使用するグリップ部２を有する。浴槽本体１１１の上端縁には、フランジ部１１２が形成されている。フランジ部１１２は、内周縁下方に、上面より低く１段下がったフランジ段部１１４を有する。風呂蓋１００は、フランジ段部１１４のいずれかの箇所に載せられる。
【００１５】
図１から図３に示す浴槽１１０は、フランジ段部１１４が浴槽本体１１１の長手方向に沿うフランジ部１１２の長辺２辺の内周縁に設けられている。浴槽１１０は、フランジ段部１１４がフランジ部１１２の短辺１辺の内周縁に設けられていても良いし、短辺２辺の内周縁に設けられていても良い。フランジ段部１１４は、浴槽本体１１１の長手方向の途中で切れているような形であってもよく、長手方向全体に設けられていなくてもよい。また、フランジ段部１１４は、短辺２辺においても浴槽本体１１１の短手方向全体に設けられていなくてもよい。
【００１６】
また、浴槽１１０のフランジ部１１２は、短辺側が円弧となる形状を有していてもよい。例えば、浴槽１１０の端部１１５の内周縁が円弧状であってもよい。端部１１５の円弧状の内周縁に沿ってフランジ段部１１４が形成されていてもよいし、フランジ段部１１４が形成されずに端部１１５の内周縁が浴槽本体１１１の内側面に連なり、浴槽本体１１１の端部１１５側の内側面が円弧状となっているものでもよい。尚、浴槽１１０の外形形状は、平面視矩形状に限らず、楕円形状や、湾曲した辺を有する形状等であってもよい。
【００１７】
浴槽本体１１１は、端部１１５側において内側面１１７間の幅が狭い幅狭部分３１が、端部１１５側と反対側の端部側において幅狭部分３１より幅の広い幅広部分３２が形成されている。幅狭部分３１と幅広部分３２は、幅狭部分３１から幅広部分３２へ向けて拡幅する接続部分３３によって接続されている。幅狭部分３１及び幅広部分３２における浴槽本体１１１の内側面１１７は、接続部分３３の内側面１１８により接続されている。
【００１８】
グリップ部２は、棒状であり、浴槽１１０の長手方向に沿って中途部に設けられている。グリップ部２は、一方の端部２１が接続部分３３の内側面１１８に固定されており、他方の端部２２が幅広部分３２の内側面１１７に固定されている。グリップ部２は、中央部から端部２１に亘る上端面２３ａの高さがフランジ段部１１４の高さと同じである。このため、風呂蓋１００は、浴槽１１０の長手方向の中途部に載せたとき、フランジ段部１１４とグリップ部２によって支持される。
【００１９】
図１から図３に示す浴槽１１０は、グリップ部２が浴槽本体１１１の長手方向における中途部の２カ所に設けられているが、片側のみ設けるようにしてもよい。また、フランジ段部１１４が設けられていない浴槽１１０においては、グリップ部２の上端面２３ａの高さをフランジ部１１２と同じとすればよい。この場合、風呂蓋１００は、浴槽１１０の長手方向の中途部に載せたとき、フランジ部１１２とグリップ部２によって支持される。
【００２０】
グリップ部２における浴槽本体１１１の内側に臨む側面２４と、幅狭部分３１における浴槽本体１１１の内側面１１７は、浴槽本体１１１の長手方向に並設されている。グリップ部２の側面２４は、幅狭部分３１における内側面１１７を延長した仮想面と面一であることが好ましい。
【００２１】
グリップ部２は、上述のとおり棒状であり、グリップ部２自体の軸線に交差する水平方向の幅、即ち浴槽本体１１１を上方から平面視したときの幅が、端部間の中央部において狭く、端部２２で幅広としてある。尚、グリップ部２は、中央部から端部２２にかけて湾曲し、したがって軸線も湾曲している。このため、グリップ部２について軸線に交差する水平方向の幅とは、中央部では浴槽本体１１１の短手方向、端部２２では浴槽本体１１１の長手方向におけるグリップ部２の幅を意味する。また、グリップ部２は、端部２２における上端面２３ｂがフランジ段部１１４よりもやや低い位置に設けられることで、風呂蓋１００とグリップ部２との間に手指が挟まれることを防止する。
【００２２】
次に浴槽１１０の動作について述べる。
風呂蓋１００を浴槽本体１１１の幅狭部分３１に載せたとき、幅狭部分３１におけるフランジ段部１１４の幅は広いので、風呂蓋１００にかかる大きな荷重を支持することができる。上述のように、風呂蓋１００は、浴槽１１０の長手方向の中途部に載せたとき、フランジ段部１１４とグリップ部２によって支持されるので、ユーザが風呂蓋１００に着座した時にかかる大きな荷重を支持することができる。したがって、幅狭部分３１と幅広部分３２を接続する接続部分３３から幅広部分３２にかけても、風呂蓋１００にかかる大きな荷重を支持することができる。
【００２３】
また、グリップ部２は、上端面２３ａの高さがフランジ段部１１４と同じであり、フランジ部１１２より一段低い位置にある。ユーザは、浴槽本体１１１内へ移動すべくフランジ部１１２を跨ぐ際に、フランジ部１１２を超える高さで足を水平に移動させる距離を小さくすることができ、浴槽本体１１１内へ移動し易くなる。
【００２４】
フランジ段部１１４がない浴槽１１０では、グリップ部２の上端面２３ａの高さをフランジ部１１２と同じとすることで、風呂蓋１００を浴槽１１０の長手方向の中途部に載せたとき、フランジ部１１２とグリップ部２によって支持することができる。
【００２５】
グリップ部２の側面２４は、幅狭部分３１の内側面１１７に並設されており、入浴中のユーザが体で触れたときでも、突起状の部分に接触したような違和感が少ない。グリップ部２の側面２４は、幅狭部分３１の内側面１１７を延長した仮想面と面一であれば、さらに違和感が少なくなる。また、グリップ部２の側面２４が幅狭部分３１の内側面１１７に連続するようにすれば、さらに違和感が少なくなる。
【００２６】
グリップ部２は、棒状であり、グリップ部２自体の軸線に交差する水平方向の幅、即ち浴槽本体１１１を上方から平面視したときの幅が、端部間の中央部において狭く、端部２２側で幅広としてある。ユーザは、上半身を浴槽本体１１１内の幅広部分３２側に、足元側を幅狭部分３１側にして湯に浸かった状態で、幅広のグリップ部２の端部２２が手前に来るので、グリップ部２を掴み易い。また、ユーザは、浴槽本体１１１内でグリップ部２に手のひらを着いて立ち上がる際に、幅広の端部２２に手のひらを置くことで、手のひらとグリップ部２との接触面積が大きくなり、手のひら全体で体重を支えることができるので、グリップ部２に体重をかけ易く、起立動作が行い易い。同様に、ユーザは、幅広の端部２２に手のひらを置くことで、グリップ部２に体重をかけ易く、浴槽本体１１１内への着座動作が行い易い。グリップ部２は、浴槽本体１１１を上方から平面視したときの中央部の幅を狭くすることで、浴槽本体１１１内への張り出しを抑えている。浴槽１１０は、ユーザが浴槽本体１１１内へ移動すべくグリップ部２を含めてフランジ部１１２を跨ぐ際に、グリップ部２の浴槽本体１１１内への張り出しが抑えられていることによって、跨ぎ易くなる。また、グリップ部２は、幅広部分３２側に取り付けられているが、入浴中のユーザにとって肩や腕が当たって狭く感じる部分であるため、グリップ部２の浴槽本体１１１内への張り出しを抑えることによって、浴槽１１０が広いとの印象をユーザに与えることができる。グリップ部２は、平面視で中央部の幅が狭いものの、ユーザがグリップ部２を握った際に細いとの違和感を生じないように、高さ方向の幅を平面視の幅よりも大きくしている。また、グリップ部２は、平面視で中央部の幅が狭くしてあり、仮りに、この幅を保って端部を浴槽本体１１１の内側面に取り付けた場合には、強度的に問題はないとしても、ユーザに対して構造的に弱いとの印象を与えてしまう。グリップ部２は、端部２２において平面視で幅が広くなっており、ユーザに対して構造的に強いとの安心感を与える効果がある。同様に、グリップ部２は、端部２１において平面視で幅が広い部分を設けることで、ユーザに対して構造的に強いとの安心感を与える。
【００２７】
次に、実施形態１の浴槽１１０の特徴を説明する。
本発明の実施形態１の浴槽１１０は、湯を溜める浴槽本体１１１の上端縁の周囲にフランジ部１１２を有する。浴槽本体１１１の内側面に、上端面２３ａの高さがフランジ部１１２と同じであるグリップ部２が設けられている。浴槽１１０は、グリップ部２の上端面２３ａの高さがフランジ部１１２と同じであるので、着座時に風呂蓋１００にかかる大きな荷重をフランジ部１１２およびグリップ部２によって支持することができる。
【００２８】
また、浴槽１１０は、フランジ部１１２が内周縁に上面より低いフランジ段部１１４を有する。グリップ部２は、上端面２３ａの高さがフランジ段部１１４と同じである。これにより、ユーザは、浴槽本体１１１内へ移動すべくフランジ部１１２を跨ぐ際に、フランジ部１１２を超える高さで足を水平に移動させる距離を小さくすることができ、浴槽本体１１１内へ移動し易くなる。
【００２９】
また、浴槽１１０は、浴槽本体１１１が一端側に幅狭部分３１を、他端側に幅狭部分３１よりも幅が広い幅広部分３２を有する。グリップ部２は、幅狭部分３１と幅広部分３２を接続する浴槽本体１１１の内側面１１８に一方の端部２１が固定されており、幅広部分３２の幅方向における浴槽本体１１１の内側面１１７に他方の端部２２が固定されている。これにより、幅狭部分３１と幅広部分３２を接続する接続部分３３から幅広部分３２にかけても、風呂蓋１００にかかる大きな荷重を支持することができる。
【００３０】
また、浴槽１１０は、グリップ部２における浴槽本体１１１の内側に臨む側面２４と、幅狭部分３１の幅方向における浴槽本体１１１の内側面１１７とが並設されている。入浴中のユーザが体でグリップ部２の側面２４に触れたときでも、突起状の部分に接触したような違和感が少ない。
【００３１】
また、浴槽１１０は、グリップ部２が中央部の幅よりも端部２２の幅が広い。ユーザは、上半身を浴槽本体１１１内の幅広部分３２側にして湯に浸かった状態で、幅広の端部２２が手前に来るので、グリップ部２を掴み易い。また、ユーザは、幅広の端部２２に手のひらを置くことで、グリップ部２に体重をかけ易く、起立動作および着座動作が行い易い。
【００３２】
次に変形例について説明する。図４は変形例に係る浴槽１１０の図３と同様の断面図である。変形例におけるグリップ部２は、端部２２の上端面２３ｂの高さがフランジ段部１１４と同じである。また、フランジ段部１１４が設けられていない浴槽１１０においては、端部２２の上端面２３ｂの高さは、上端面２３ａの高さと同様に、フランジ部１１２と同じとすればよい。この場合、風呂蓋１００は、浴槽１１０の長手方向の中途部に載せたとき、フランジ部１１２とグリップ部２によって支持される。
【００３３】
端部２２の上端面２３ｂの高さがフランジ段部１１４またはフランジ部１１２の高さと同じであるため、ユーザは、幅広の端部２２とともに、フランジ段部１１４またはフランジ部１１２にも手のひらを置くことができるので、グリップ部２に体重をかけ易く、起立動作および着座動作がより行い易くなる。
【００３４】
（実施形態２）
図５は本発明の実施形態２に係る浴槽１１０の外観を示す斜視図、図６は本発明の実施形態に係る浴槽１１０の平面図、図７は図６のＢ−Ｂ線による浴槽１１０の断面図である。浴槽１１０は、上部に風呂蓋１００が載せられ、図示しない他の風呂蓋とともに浴槽１１０に溜めた湯を保温する。風呂蓋１００は、湯の保温以外にユーザが着座することや、浴槽１１０内にユーザが浸かった状態等でテーブル代わりとしても使用される。
【００３５】
浴槽１１０は、平面視矩形状であり、湯を溜める浴槽本体１１１、およびユーザが手すりとして使用するグリップ部４を有する。浴槽本体１１１の上端縁には、フランジ部１１２が形成されている。フランジ部１１２は、浴槽本体１１１の長手方向に沿う一方のフランジ部１１２に、上面より低く１段下がったフランジ段部１２４を有する。風呂蓋１００は、グリップ部４とフランジ段部１２４の上に載せられる。浴槽１１０のフランジ部１１２は、短辺側が円弧となる形状を有していてもよい。例えば、浴槽１１０の端部１１５の内周縁が円弧状であってもよい。尚、浴槽１１０の外形形状は、平面視矩形状に限らず、楕円形状や、湾曲した辺を有する形状等であってもよい。
【００３６】
図５から図７に示す浴槽１１０は、フランジ段部１２４が浴槽本体１１１の長手方向に沿うフランジ部１１２の長辺１辺のうち部分的に設けられている。フランジ段部１２４は、外周側にフランジ部１１２が設けられていない箇所がある。フランジ段部１２４は、端部１１５側と反対側の端部から中央部にかけて設けられている。尚、フランジ段部１２４は、風呂蓋１００の利用形態に合わせて、中央部に設けてもよいし、長手方向の一端部から他端部にかけて全体に設けてもよい。
【００３７】
フランジ段部１２４は、フランジ部１１２の内周縁から外周縁に亘って形成されている。フランジ段部１２４は、浴槽本体１１１の長手方向の端部側において接続面１２４ａによりフランジ部１１２に接続され、中央部側において接続面１２４ｂによりフランジ部１１２に接続される。フランジ段部１２４は、浴室内の洗い場側に位置しており、ユーザはフランジ段部１２４を跨いで浴槽本体１１１へ移動する。
【００３８】
グリップ部４は、棒状であり、浴槽本体１１１の長手方向に沿って端部１１５から反対側の端部まで水平に延びる。グリップ部４は、浴槽本体１１１の長手方向に沿うフランジ部１１２のうち、フランジ段部１２４が形成されていないフランジ部１１２の内周縁下方における浴槽本体１１１の内側面１１７に設けられている。グリップ部４の上端面４３の高さは、フランジ段部１１４と同じである。
【００３９】
次に浴槽１１０の動作について述べる。
風呂蓋１００は、両縁部分でフランジ段部１２４とグリップ部４に載せられる。フランジ段部１２４は、フランジ部１１２より一段低い位置にある。このため、ユーザは、浴槽本体１１１内へ移動すべくフランジ段部１２４を跨ぐ際に、フランジ部１１２よりも低い位置まで足を上げれば良く、浴槽本体１１１内へ移動し易くなる。
【００４０】
グリップ部４を設けた側のフランジ部１１２には、風呂蓋１００を支持するためのフランジ段部を設けなくてもよい。したがって、フランジ段部１２４を形成するために内側面１１７を浴槽本体１１１の内側に張り出す必要がないので、浴槽本体１１１の容積を大きくすることができる。
【００４１】
グリップ部４の上端面４３の高さがフランジ段部１２４と同じであることから、グリップ部４の側方には一段高いフランジ部１１２がある。このため、風呂蓋１００は、グリップ部４に載せられる縁部分の端面が、フランジ部１１２に至るグリップ部４を設けた内側面１１７の上部に対向し、当接することによって、浴槽本体１１１の短手方向への移動が制限される。また、風呂蓋１００は、フランジ段部１２４に載せられる縁部分の両端部が、フランジ段部１２４の接続面１２４ａ及び１２４ｂに当接することによって浴槽本体１１１の長手方向への移動が制限される。
【００４２】
次に、実施形態２の浴槽１１０の特徴を説明する。
本発明の実施形態２の浴槽１１０は、湯を溜める浴槽本体１１１の上端縁の周囲にフランジ部１１２を有する。浴槽本体１１１の長手方向に沿うフランジ部１１２の一方に、フランジ部１１２の上面より低いフランジ段部１２４が形成されている。浴槽１１０は、浴槽本体１１１の長手方向に沿うフランジ部１１２の他方の内周縁下方における浴槽本体１１１の内側面１１７に、浴槽本体１１１の長手方向に延びる棒状のグリップ部４を有する。フランジ段部１２４の高さは、グリップ部４の上端面４３と同じである。これにより、フランジ段部１２４とグリップ部４に風呂蓋１００を載せることができる。また、ユーザは、浴槽本体１１１内へ移動すべくフランジ段部１２４上を跨ぐ際に、足の位置が低くなるので、浴槽本体１１１内へ移動し易くなる。また、グリップ部４を設けた側のフランジ部１１２には、フランジ段部を設けなくてもよいので、浴槽本体１１１の容積を大きくすることができる。
【００４３】
また、浴槽１１０は、フランジ段部１２４がフランジ部１１２の内周縁から外周縁に亘って形成されている。これにより、ユーザは、浴槽本体１１１内へ移動する際に、フランジ部１１２の高さまで足を上げる必要がないので、浴槽本体１１１内へ移動し易くなる。
【００４４】
また、浴槽１１０は、フランジ段部１２４が浴槽本体１１１の長手方向に沿って部分的に形成されている。これにより、フランジ段部１２４に載せた風呂蓋１００の縁部分の両端部が、フランジ段部１２４とフランジ部１１２を接続する接続面１２４ａ及び１２４ｂに当接し、浴槽本体１１１の長手方向への移動が制限される。
【００４５】
次に変形例について説明する。図８は変形例に係る浴槽１１０の平面図である。変形例におけるフランジ部１１２は、内周縁下方に、フランジ部１１２の上面より低く１段下がったフランジ段部１２４を有する。図８に示す浴槽１１０は、フランジ段部１２４が浴槽本体１１１の長手方向に沿うフランジ部１１２の長辺１辺のうち部分的に設けられているが、中央部に設けてもよいし、長手方向の一端部から他端部にかけて全体に設けてもよい。
【００４６】
ユーザは、浴槽本体１１１内へ移動すべくフランジ部１１２を跨ぐ際に、フランジ部１１２を超える高さまで足を上げる必要がある。しかし、フランジ段部１２４がフランジ部１１２の内周縁にあることで、フランジ部１１２を超える高さで足を水平に移動させる距離を小さくすることができ、浴槽本体１１１内へ移動し易くなる。
【００４７】
以上、本発明の実施の形態をもとに説明した。これらの実施の形態は例示であり、いろいろな変形および変更が本発明の特許請求範囲内で可能なこと、またそうした変形例および変更も本発明の特許請求の範囲にあることは当業者に理解されるところである。従って、本明細書での記述および図面は限定的ではなく例証的に扱われるべきものである。
【符号の説明】
【００４８】
１１０  浴槽、  １１１  浴槽本体、  １１２  フランジ部、
１１４  フランジ段部、  ２  グリップ部、  ２３ａ，２３ｂ  上端面、
２４  側面、  ３１  幅狭部分、  ３２  幅広部分。
【図１】
0006659381.tif 000002
【図２】
0006659381.tif 000003
【図３】
0006659381.tif 000004
【図４】
0006659381.tif 000005
【図５】
0006659381.tif 000006
【図６】
0006659381.tif 000007
【図７】
0006659381.tif 000008
【図８】
0006659381.tif 000009